(57)【要約】      （修正有）【課題】耳だけで携帯電話を支えること、そしてバンドを取り付ければ一般の電話にも対応すること。小さくていつでも携帯できると共に、保持具を掛けるのは面倒であるという事情を克服するためにも使いやすくて本体が揺れないことを提供する。【解決手段】「し」の字の器具を耳の後ろに掛けて、アンカーを考えることで外れない特徴を持ち、携帯電話や他の送受話器が揺れない効果を発揮するし、小さいから掛けていても苦にならない。折り畳めばさらに小さくなってどこにでも置ける。【選択図】  図２
2005012735.tif 000002
【特許請求の範囲】
【請求項１】
携帯電話を支持するにあたり、耳に掛けることを特徴とする器具。及び、付属品のヘアーバンドをかければ受話器保持にも転用できる。
【発明の詳細な説明】
【０００１】
【発明の属する技術分野】携帯電話及び一般の送受話器を支持する器具の構造に関する。
【０００２】
【従来の技術】ヘッドフォン形式や耳掛け式携帯電話保持具等があり、携帯電話を保持する部分と耳のところの掛止部は人間側か携帯電話側かが持つことになる。人間側が持てば、耳だけで押さえることはしなかった。携帯側に保持部と掛け部が付いた場合掛けにくそうであるし、耳が柔らかくて保持しきれず不安定そうであると共に、構造上携帯本体が揺れるであろう。
【０００３】
【発明が解決しようとする課題】携帯電話を着信したとき、小さくて軽いものなので手で支えるのは不合理である。また、薄くなりすぎて摘みにくいぐらい。違う方法が携帯に合っている。そこで、耳だけで支える形式なら、携帯電話の長所は広がるし、両手は自由になる。
【０００４】ヘッドフォンだと耳の中に声がこもり声に立体感がなく聞きづらいし不快感を持つが、その点、耳に引っ掛ける器具は耳と携帯の間にわずかな隙間を保ち自然な声を聴けて煩わしいと思わない。声の立体感とは、遠くで声がしている感じで耳の中で音が反響しないことである。そのためには（図１）で隙間ａの存在が重要である。携帯電話が進化して耳に掛けられるようになれば、実施した器具は無用である。しかし、携帯電話は会話中だけでなくメールやヴィジュアル志向も考えてあるので耳に掛ける方には進化しそうもない。今のところは、間くのと支持するのは分けて考えたほうがよさそうである。
【０００５】また、携帯電話同様、常時携帯できるように小さくなければ意味がない。しかも携帯電話より小さくて邪魔にならないこと。電話が鳴ったときは、会話が長くなるのか数十秒で終わるのか分からない。保持具を付ける判断はつかない。よって着信者側は不利となり、いつでも取り出せ、簡単に固定でき、本発明の器具を使いたくなったらその方の耳に携帯電話を移す。送信者側は電話を持つ前から自分の意思で時間を予測できるが、もし使うなら電話をかける前や済んだ後でもしばらく掛けておいても苦にならないことである。そういった意味でも小さくて軽い保持具でなければ誰も使わない。そして、目的の耳だけで支えること。
【０００６】さらに、一般の送受話器に対応するには頭に掛けるバンド付属品を使い、受話器の側面をしっかり固定し、本体が揺れないことを提供する。
【０００７】
【課題を解決するための手段】器具は、耳に掛けてアンカーを出すことで外れない特徴と電話を挟む特徴を合わせ持つ。耳の後ろに、「し」の字を逆さにした格好の柄を掛けて、耳介の二箇所を押さえることによって、耳の軟弱さを補いそして本体の重みに耐える。携帯を挟む機能は、（図２）ではさみ口ｇと開き口ｄが果たす。開き口（図１７）はスライドしてさまざまな幅の携帯と受話器を押さえる。微調整ははさみ口にゴム（  図１１），（図１６）とバネ（図１９），（図２０）がある。開き口とはさみ口の押さえ部は、（図１４）で（図１５）の構造を持つことによって向きの調節ができる。外すときは携帯を力まかせに横にひねるようにして取る。
【０００８】本発明の一つの形態によれば、器具は（図１１）の割りピン穴１によって折り畳みができ、吊り部と押さえ部を合わせて収納する。ポケットに仕舞うなり、シャツの首に引っ掛けるなり、そのまま掛けておくこともできる。耳で携帯を支える器具はメールにおいては用途が違う。
【０００９】また、いろいろな機種をつかめるように、開き口はネジを緩めることによって、幅が広がったり狭くなったりし受話器の場合は（図２１）のバンドを取り付ければ使える。勿論、受話器の重さでも安定する。
【０００１０】
【発明の実施の形態】耳の形に個人差はあっても耳介はあり、アンカーが耳介の上と下に来る。（  図２）斜視図のｅとｆを参照。電話が来たらまず左耳に携帯を当て、どちらの耳でも良いが図面は右耳用、右手で本発明の器具を取り出して右耳に掛ける。耳に吊るした器具は耳の後ろにまわるので邪魔にならない。柄の部分と開き口からはアンカーが出て、耳介の上のところと耳介の下のところを包む感じで押さえる。１００パーセント以上の安全を確保するためである。と同時に、揺れないようにするためである。あらかじめ調節されている開き口に、携帯を移動してはめ込む。
【０００１１】次に、器具の素材はアクリルかポリ塩化ビニルＰＣＶが望ましく、厚さは３ミリ程度にする。（  図３）平面図，（図４）正面図，（図５）左側面図，（図６）右側面図，（図７）背面図等は実物大で、これを参考にして柄を作る。上のアンカーが入るところには、アクリル板を半分削ったくらいの１．５ミリ深さの溝を設け、（図９）のように溝の中ほどは少し盛り上がる。そこは下図の断面になれば最高である。（図１０）において、テーパが付き裏側は波打ったアンカーであるｉが（図９）の溝に入り、アンカーの先には楔であるｈを差し込む。下のアンカーは、開き口のひとつである（図１１）斜視図の裏に付き、（図１２）背面図の構造となる。（図２）において、楔は描いてあるのに符号は記されていない。また、（図２）の中では片方のはさみ口ｇも記入されていない。
【０００１２】次に、（  図１６）と（図１７）は押さえ部にあたり、（図１６）のはさみ口にゴムが付く。（図１７）のはさみ口は、実施例では（図１８）の塩ビ板をはるだけにして、本来は（図２０）の内部構造を持つ（図１９）の概念図になる。（図３）または（図６）で蝶番のところの溝、及び（図１１）において自在溝のｋは（図１３）の部品が入ることによって電話の傾きを変えられる。
普通の電話を使用するときは、（図２１）のバンドを頭にかぶせ、フックｎを（図２）のフック受けｃに掛ける。
【０００１３】
【実施例】使って便利であった。技術的に困難なところは妥協して、装置の細工ができる範囲で完成させた。従って、工作できずに抜いたところは実施の形態で説明してある。場所は押さえ部の向き調節（図１４）とはさみ口の（図１９）である。（図１４）のかわりに向きは変えられないけれど（図３）から（図７）にし、（図１９）の代わりに（図１７）と（図１８）で間に合わせた。
【０００１４】ここで、３ミリのアクリル板を材料とし、ハンドソーと棒やすりを使って柄と押さえ部を作る。アンカーもアクリル板である。糸鋸を使うよりハンドソーをいろいろな方向から駆使して切り、やすりで形を整える。アンカー用の溝は、やすりで削ってプラスチックカッターでテーパを付ける。他の溝も同様。柄のひねりと割りピン穴はアルコールランプで熱して変形させる。割りピン穴のところは爪楊枝を置き、軍手をした手で丸める。実際は割りピンの代わりに、爪楊枝の先を折ってそのままにしておいた。柄の全長が９０ミリとなるように、（図８）の平面図が、アルコールランプで熱してひねったり蝶番の穴を作ったりする前の形である。（図８）を加工すると、幅は約９ミリで全長が９０ミリの普通サイズタイプとなる。
【０００１５】次に、片方のはさみ口である（図１９）が無くてもカチッとはまるように、（図１７）のはさみ口に１ミリの塩ビ板を（図１８）に加工して接着剤で貼る。それが無くても使用可能であった。（図２）におけるｃのフック受けは、アクリル板を小さく切って貼ったところに予備穴をあけ皿ビスを打って済ませる。（図２１）において、バンドｏとフックｎはボルトとナットで止める。ボールペンから取り出したバネを切り、これをボルトに通しワッシャをはめナットを締める。押さえ部において隅と蝶番の自在溝は、発明の趣旨がここではないので簡単な説明にする。コーナーは、携帯のキー部が開き口に当たらないように、補強材をやすりで削ってくっ付ける。蝶番の溝は、段階的に折り畳みをしたいためであり、別に無くても良いものである。が、あれば電話の傾き調節にもなる。
ボールペンの芯を抜いて、からの筒をアルコールランプであぶって（図１３）上図の断面にしたら、１．０ミリ程度の輪切りにして溝に埋める。開き口側の溝は、（図１３）の下図となるように、１ミリの塩ビ板を加工してはめる。それから、底の接触部に接着剤を流し込む。
【０００１６】
【発明の効果】本発明の器具を利用すれば、長電話になっても電話を持つ手の肘が痛むことを嘆かなくていい。両手が使えるので行動範囲は広がり、お茶を飲んだり、筆記したりできる。折り畳めばより小さく、どこでも常時入れて置ける。
（図２１）でｏのバンドを器具の上に付ければ普通の受話器にも対応できる。携帯と同様、普通の電話でも手の動きを広げられ自分の行動がとれる。電話中であろうとなかろうとコンパクトであり実用向きである。
【０００１７】また、携帯の場合イヤフォン端子はあるが耳の中で鳴るより、遠くから聴こえたほうが気持ちよい。圧迫感と違和感がなく、耳に掛けるだけで喋ると聞くが両立する。見た目も小さく分からないくらいだから、常用しても疲れないし、暑いときでも苦にならない。
【０００１８】なお、携帯本体の正面から側面を挟むので、誤動作をしないように、開き口とはさみ口が交わる内側の隅は盛り上がり、開き口と携帯本体の間に隙間ができることとなりキー部は動かない。何故保持具が普及しないかを検討してみると、携帯本体が落ちる心配といちいち掛けるのは面倒であるという本質がある。音声入力の時代が来れば保持具は有効であるが、今は面倒であるということを克服するためにも小さくて使いやすい物を提供することである。
【図面の簡単な説明】
【図１】概念図  携帯電話と耳の関係で、隙間によって音がこもらない。
【図２】斜視図  本発明の器具に近い物。個人として実際に作った例である。
【図３】平面図  耳に下げる柄の部分。実物大である。
【図４】立面図  上記と同じもの。正面図。逆「し」の字で単にフラットバー状態ではなく弓なり状の立体である。
【図５】立面図  左側からの側面図。実物大。
【図６】立面図  右横から見た図。実物大。
【図７】背面図  耳にフィットするには曲げ方が重要なのでくどいようだが５図を描いた。底面図は省略。
【図８】平面図  アルコールランプで変形させる前の原図。
【図９】平面図  アンカーのための溝である。アンカーは耳介の上を押さえる。
【図１０】斜視図  楔と上のアンカー。ｉのアンカーは底面の斜視図で、長さは２５ミリ、幅は７ミリ、厚さは１．５ミリ。（図９）の柄の溝に入れてから楔ｈを差す。楔の長さは１８ミリ、幅は９ミリ。
【図１１】斜視図  押さえの一つではさみ口と開き口を示す。裏にアンカー止めがある。はさみ口に滑り止めのゴム部材が付く。ｍは、厚さ５ミリのゴムを加工して、溝に入る出っ張りを作り、加工後の厚さは３．５ミリとなる。
【図１２】立面図  背面から見た下のアンカーと、開き口の裏に付いたアンカー止めの構造。アンカーの長さは３５ミリ、幅は４ミリ。
【図１３】平面図  （図３）または（図６）で蝶番のところの溝と（図１１）におけるｋの溝に入る部品。押さえ部の傾きを段階的に変えられる。上図の縦幅は５ミリ、下図の全長は１５ミリ。
【図１４】平面図  理想は柄の下あたりに押さえ部の向きを変えられる自在が付くことである。実態として行えなかった部分である。
【図１５】平面図  （図１４）の構造の詳細で柄に付く自在の部品。電話の向きの調節が出来る。
【図１６】斜視図  はさみ口の溝はゴムの出っ張りが入る。開き口の二つの穴はボルトが入る。はさみ口の横幅は２３ミリ、縦幅は３３ミリ。開き口の高さは３３ミリ、長さは４６ミリ。アルコールランプで曲げる。
【図１７】斜視図  実施したときの開き口とはさみ口。開き口の長さが４１ミリ幅は３０ミリ、スライドできるようになっている二つの穴は長さが２２ミリ幅は４ミリ弱、はさみ口の立ち上がりが１８ミリ幅は３０ミリである。アルコールランプで曲げる。片方の開き口とはさみ口は（図１１）及び（図１６）。
【図１８】斜視図  実施するとき、１ミリの塩ビ板を加工して（図１７）のはさみ口に貼り付けた。
【図１９】斜視図  はさみ口の図で中のバネにより微調整となる。実施していないので概念図でもある。片方のはさみ口（図１１）または（図１６）はゴムが付き滑り止めとなる。
【図２０】断面図  （図１９）の内部である。
【図２１】斜視図  受話器を挟む場合、まずこのバンドを頭にしてから（図２）の器具を耳に、勿論アンカーは収納されている状態で掛ける。保持具が先でもバンドが先でも順序はどっちでも良いが。バンドの幅は３３ミリ。加工する前の直線の長さは３１５ミリ。
【図１】
2005012735.tif 000003
【図２】
2005012735.tif 000004
【図３】
2005012735.tif 000005
【図４】
2005012735.tif 000006
【図５】
2005012735.tif 000007
【図６】
2005012735.tif 000008
【図７】
2005012735.tif 000009
【図８】
2005012735.tif 000010
【図９】
2005012735.tif 000011
【図１０】
2005012735.tif 000012
【図１１】
2005012735.tif 000013
【図１２】
2005012735.tif 000014
【図１３】
2005012735.tif 000015
【図１４】
2005012735.tif 000016
【図１５】
2005012735.tif 000017
【図１６】
2005012735.tif 000018
【図１７】
2005012735.tif 000019
【図１８】
2005012735.tif 000020
【図１９】
2005012735.tif 000021
【図２０】
2005012735.tif 000022
【図２１】
2005012735.tif 000023